(57)【要約】【課題】構成要素に対する主要な電力の供給が遮断された場合、適切な動作を行う情報処理装置を提供する。【解決手段】第１構成要素に対する制御を行う第１制御部と、第１構成要素よりも消費電力が小さい第２構成要素に対する制御を行う第２制御部と、第１制御部への電力を生成する第１電源生成部と、第２制御部への電力を生成する第２電源生成部と、接続および切断の一方から他方へ切り替えるための第１接点部と、第１接点部の接続状態に連動して接続および切断の一方から他方へ切り替える第２接点部と、第１接点部と、第１電源生成部および第２電源生成部との間に接続され、電力を蓄積する機能を有し、第１電源生成部および第２電源生成部に供給される電力を安定させるための蓄電部とを備え、第２接点部の接続状態が、第１接点部が切断されていることを示す場合、第２制御部は、第２構成要素に対する制御を停止する。【選択図】図３
2013080352.tif 000002
【特許請求の範囲】
【請求項１】
第１構成要素に対する制御を行う第１制御部と、
前記第１構成要素よりも消費電力が小さい第２構成要素に対する制御を行う第２制御部と、
前記第１制御部への電力を生成する第１電源生成部と、
前記第２制御部への電力を生成する第２電源生成部と、
前記第１電源生成部および前記第２電源生成部に電力を供給または遮断するために、接続および切断の一方から他方へ切り替えるための第１接点部と、
前記第１接点部の接続状態に連動して接続および切断の一方から他方へ切り替える第２接点部と、
前記第１接点部と前記第１電源生成部および前記第２電源生成部との間に接続され、電力を蓄積する機能を有し、前記第１電源生成部および前記第２電源生成部に供給される電力を安定させるための蓄電部と、を備え、
前記第２接点部の接続状態が、前記第１接点部が切断されていることを示す場合、前記第２制御部は、前記第２構成要素に対する制御を停止する
情報処理装置。
【請求項２】
前記第１接点部によって、前記第１電源生成部および前記第２電源生成部への電力が遮断された場合、
前記第２制御部は、前記蓄電部に蓄積された電力が前記第２制御部へ供給されることによって、前記第２構成要素に対する制御を行う
請求項１に記載の情報処理装置。
【請求項３】
前記第１電源生成部が駆動停止状態に保持されるとともに前記第２電源生成部が駆動状態に保持される省電力モードでは、前記第１接点部によって、前記第１電源生成部および前記第２電源生成部への電力が遮断された場合、前記第２制御部は、前記蓄電部に蓄積された電力が前記第２制御部へ供給されることによって、前記第２構成要素に対する制御を行い、
前記第１電源生成部および前記第２電源生成部が駆動状態に保持される非省電力モードでは、前記第１接点部によって、前記第１電源生成部および前記第２電源生成部への電力が遮断された場合、前記第１制御部は、前記蓄電部に蓄積された電力が前記第１制御部へ供給されることによって、前記第１構成要素に対する制御を行い、前記第２制御部は、前記蓄電部に蓄積された電力が前記第２制御部へ供給されることによって、前記第２構成要素に対する制御を行う
請求項２に記載の情報処理装置。
【請求項４】
前記第２制御部は、
前記第２接点部の接続状態を検出する検出部と、
前記検出部の検出結果が、前記第２接点部の接続状態が、前記第１接点部が切断されていることを示す場合、前記第２構成要素に対する制御を停止する停止部と、を備える
請求項１〜３のいずれか１項に記載の情報処理装置。
【請求項５】
前記検出部は、初期化させるための信号を受け付けるためのリセット端子を有し、
前記リセット端子は、前記第２接点部に接続されており、
前記停止部は、前記リセット端子が、前記第１接点部が切断されていることを示す信号である、前記初期化させるための信号を受け付けた場合、前記第２構成要素に対する制御を停止する
請求項４に記載の情報処理装置。
【請求項６】
前記検出部は、外部機器との間におけるデータの入力又は出力に用いるための汎用インターフェースを有し、
前記汎用インターフェースは、前記第２接点部に接続されており、
前記汎用インターフェースが、前記第１接点部が切断されていることを示す信号を受け付けた場合に、前記停止部は前記第２構成要素に対する制御を停止する
請求項４に記載の情報処理装置。
【請求項７】
さらに、
前記蓄電部と前記第２制御部との間に第３接点部を備え、
前記第３接点部は、前記第２接点部に接続されており、
前記第２接点部の接続状態が、前記第１接点部が切断されていることを示す場合、前記第３接点部は切断され、
前記第３接点部が切断された場合、前記第２制御部への電力が遮断されることによって、前記第２制御部は、前記第２構成要素に対する制御を停止する
請求項１〜３のいずれか１項に記載の情報処理装置。
【請求項８】
前記第２制御部は、前記第２接点部を介して前記第２電源生成部に接続されており、
前記第１接点部が切断された場合、前記第２接点部は切断され、
前記第２接点部が切断された場合、前記第２制御部への電力が遮断されることによって、前記第２制御部は、前記第２構成要素に対する制御を停止する
請求項１〜３のいずれか１項に記載の情報処理装置。
【請求項９】
前記第２構成要素は、省電力モード時に発光する発光部である
請求項１〜８のいずれか１項に記載の情報処理装置。
【発明の詳細な説明】
【技術分野】
【０００１】
本発明は、省電力モードを有する情報処理装置に関するものである。
【背景技術】
【０００２】
従来、待機時の消費電力を抑えるための省電力モードを備える情報処理装置が知られている。このような情報処理装置の一例として、メインＣＰＵとサブＣＰＵとを備えるシステムがある。このようなシステムでは、省電力モード中においては、メインＣＰＵへの電力供給を少ない状態にするか、または、メインＣＰＵへの電力供給を行わない状態とし、消費電力が小さいサブＣＰＵには通常の電力供給を行ったままの状態で、情報処理装置は、省電力モードからの復帰要因を監視しつつ待機することが一般的である。
【０００３】
また、メインＣＰＵに供給される電源と、サブＣＰＵに供給される電源は、それぞれの負荷に応じて設計されたコンバータ回路で生成されることにより、電源変換効率を向上させている。これらのコンバータ回路の入力側は、共通のＡＣ回路であり、このＡＣ回路上には、電源を安定させるためのキャパシタや、また、機器を安全に使用するためのＡＣスイッチなどが設けられている。
【０００４】
例えば、特許文献１には、メインＣＰＵとサブＣＰＵとを備え、かつ、メインＣＰＵ用のメイン電源と、サブＣＰＵ用のサブ電源とを備える複合機が記載されている。
【先行技術文献】
【特許文献】
【０００５】
【特許文献１】特開２００３―６３１０１号公報
【発明の概要】
【発明が解決しようとする課題】
【０００６】
しかしながら、省電力モード中にＡＣスイッチをオフした場合、ＡＣ回路上のキャパシタがしばらくサブコンバータに電力を供給し続けることになる。そうすると、サブＣＰＵに電力が供給され続けることになるので、サブＣＰＵは、ＡＣスイッチがオフされたことを検出することができない。また、省電力時に省電力モードであることを示すＬＥＤを点灯させている場合には、ＡＣスイッチをオフしてもしばらくＬＥＤが点灯したままの状態となる。キャパシタの容量や、サブＣＰＵの負荷電流によっては、１分以上もＬＥＤが点灯し続ける状態となる。
【０００７】
そこで、本発明は、このような状況に鑑みてなされたものであり、構成要素に対する主要な電力の供給が遮断された場合、適切な動作を行う情報処理装置を提供することを目的とする。
【課題を解決するための手段】
【０００８】
上記目的を達成するために、本発明の一形態に係る情報処理装置は、第１構成要素に対する制御を行う第１制御部と、前記第１構成要素よりも消費電力が小さい第２構成要素に対する制御を行う第２制御部と、前記第１制御部への電力を生成する第１電源生成部と、  前記第２制御部への電力を生成する第２電源生成部と、前記第１電源生成部および前記第２電源生成部に電力を供給または遮断するために、接続および切断の一方から他方へ切り替えるための第１接点部と、前記第１接点部の接続状態に連動して接続および切断の一方から他方へ切り替える第２接点部と、前記第１接点部と前記第１電源生成部および前記第２電源生成部との間に接続され、電力を蓄積する機能を有し、前記第１電源生成部および前記第２電源生成部に供給される電力を安定させるための蓄電部と、を備え、前記第２接点部の接続状態が、前記第１接点部が切断されていることを示す場合、前記第２制御部は、前記第２構成要素に対する制御を停止する。
【０００９】
これにより、第２接点部の接続状態が、第１接点部が切断されていることを示す場合、第２制御部は、第２構成要素に対する制御を能動的または受動的に停止することができるので、構成要素に対する主要な電力の供給が遮断された場合、適切な動作を行う情報処理装置を提供することができる。
【００１０】
また、前記検出部は、初期化させるための信号を受け付けるためのリセット端子を有し、前記リセット端子は、前記第２接点部に接続されており、前記停止部は、前記リセット端子が、前記第１接点部が切断されていることを示す信号である、前記初期化させるための信号を受け付けた場合、前記第２構成要素に対する制御を停止するとしてもよい。
【００１１】
これにより、リセット端子を利用して、構成要素に対する主要な電力の供給が遮断された旨を検出した後に、停止部は、第２構成要素に対する制御を能動的に停止することができる。
【００１２】
また、前記検出部は、外部機器との間におけるデータの入力又は出力に用いるための汎用インターフェースを有し、前記汎用インターフェースは、前記第２接点部に接続されており、前記汎用インターフェースが、前記第１接点部が切断されていることを示す信号を受け付けた場合に、前記停止部は前記第２構成要素に対する制御を停止するとしてもよい。
【００１３】
これにより、汎用インターフェースを利用して、構成要素に対する主要な電力の供給が遮断された旨を検出した後に、停止部は、第２構成要素に対する制御を能動的に停止することができる。
【００１４】
また、さらに、前記蓄電部と前記第２制御部との間に第３接点部を備え、前記第３接点部は、前記第２接点部に接続されており、前記第２接点部の接続状態が、前記第１接点部が切断されていることを示す場合、前記第３接点部は切断され、前記第３接点部が切断された場合、前記第２制御部への電力が遮断されることによって、前記第２制御部は、前記第２構成要素に対する制御を停止するとしてもよい。
【００１５】
また、前記第２制御部は、前記第２接点部を介して前記第２電源生成部に接続されており、前記第１接点部が切断された場合、前記第２接点部は切断され、前記第２接点部が切断された場合、前記第２制御部への電力が遮断されることによって、前記第２制御部は、前記第２構成要素に対する制御を停止するとしてもよい。
【００１６】
これにより、第２接点部の接続状態が、第１接点部が切断されていることを示す場合、第２制御部への電力が遮断されることによって、第２制御部は、第２構成要素に対する制御を受動的に停止することができる。
【００１７】
また、前記第２構成要素は、省電力モード時に発光する発光部であるとしてもよい。
【００１８】
これにより、第２接点部の接続状態が、第１接点部が切断されていることを示す場合、第２制御部は、省電力モード時に発光する発光部に対する制御を能動的または受動的に停止することができる。
【発明の効果】
【００１９】
本発明により、構成要素に対する主要な電力の供給が遮断された場合、適切な動作を行う情報処理装置を提供することができる。
【図面の簡単な説明】
【００２０】
【図１】本発明の実施の形態に係るファクシミリ装置を含む通信システムの構成を示す図である。
【図２】本発明の実施の形態に係るファクシミリ装置のハードウェア構成を示す図である。
【図３】本発明の実施の形態に係るファクシミリ装置の特徴的な機能の構成を示すブロック図である。
【図４】本発明の実施の形態に係るファクシミリ装置の特徴的な各種の構成例１を示す図である。
【図５】本発明の実施の形態に係るファクシミリ装置の特徴的な各種の構成例２を示す図である。
【図６】本発明の実施の形態に係るファクシミリ装置の特徴的な各種の構成例３を示す図である。
【図７】本発明の実施の形態に係るファクシミリ装置の特徴的な各種の構成例４を示す図である。
【発明を実施するための形態】
【００２１】
以下、本発明の実施の形態について、図面を用いて詳細に説明する。なお、以下で説明する実施の形態は、いずれも本発明の好ましい一具体例を示すものである。以下の実施の形態で示される構成要素、構成要素の配置位置および接続形態などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。また、本発明の実施の形態では、情報処理装置がファクシミリ（ＦＡＸ）装置である場合について説明する。
【００２２】
図１は、本発明の実施の形態に係るファクシミリ装置を含む通信システムの構成を示す図である。この通信システムでは、本発明の実施の形態に係るファクシミリ装置１は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）３を介して、ファクシミリの送受信の相手先となる相手先ファクシミリ装置２に接続される。
【００２３】
図２は、本発明の実施の形態に係るファクシミリ装置のハードウェア構成を示す図である。このファクシミリ装置１は、例えば、ＭＦＰ（Ｍｕｌｔｉ  Ｆｕｎｃｔｉｏｎ  Ｐｅｒｉｐｈｅｒａｌｓ；複合機）等である。ハードウェア構成として、図２に示されるように、ＣＰＵ１０、ＲＯＭ２０、ＲＡＭ３０、モデム４０、ＮＣＵ（Ｎｅｔｗｏｒｋ  Ｃｏｎｔｒｏｌ  Ｕｎｉｔ）５０、操作パネル６０、ディスプレイ７０、スキャナ８０、プリンタ９０、ＬＡＮＩ／Ｆ（ＬＡＮインターフェース）１００およびＬＥＤ１８０を備える。
【００２４】
ＣＰＵ１０は、メインＣＰＵ１２０と、サブＣＰＵ１３０とを備えている。メインＣＰＵ１２０は、ＲＯＭ２０に格納された制御プログラム１１０を実行することにより、ファクシミリ装置１の動作の制御を行う。サブＣＰＵ１３０は、ＲＯＭ２０に格納された制御プログラム１１０を実行することにより、ファクシミリ装置１の一部の構成要素について制御を行う。なお、サブＣＰＵ１３０は、メインＣＰＵ１２０とは独立してファクシミリ装置１の動作の制御を行うことが可能である。
【００２５】
ＲＯＭ２０は、制御プログラム１１０等を保持する読み出し専用メモリである。
【００２６】
ＲＡＭ３０は、ＣＰＵ１０が制御プログラム１１０を実行するときに使用するワークエリア、操作パネル６０によって入力されたデータ、スキャナ８０で読み込まれた画像データおよび相手先ファクシミリ装置２から送信されてきた画像データ等を一時的に保持する揮発性の記憶領域等を有する読み書き可能なメモリである。
【００２７】
モデム４０は、ファクシミリ送信される画像データを変調する。また、モデム４０は、外部からファクシミリ送信されてきた画像データを復調するファックスモデムである。
【００２８】
ＮＣＵ５０は、ＰＳＴＮ３と接続される回線終端装置である。
【００２９】
操作パネル６０は、ユーザからの操作（例えば、ＦＡＸ番号の入力等）を受け付けるパネルである。
【００３０】
ディスプレイ７０は、液晶表示装置（ＬＣＤ）等であり、ユーザとの対話に使用する。また、ディスプレイ７０は、ファクシミリ装置１の動作状態を表示する。
【００３１】
スキャナ８０は、ファクシミリ送信およびプリンタ９０に複写を行う原稿の内容をＣＣＤ等で読み取り、画像データを生成する画像読み取り装置である。
【００３２】
プリンタ９０は、印刷するための装置であり、例えば、相手先ファクシミリ装置２からＰＳＴＮ３、ＮＣＵ５０およびモデム４０を介して送信された画像データ（ファクシミリ受信データ）およびスキャナ８０からの読み取り内容等を印刷する。
【００３３】
ＬＡＮＩ／Ｆ１００は、このファクシミリ装置１とＬＡＮとを接続する通信アダプタである。
【００３４】
ＬＥＤ１８０は、動作モードが省電力モードであることを示すための表示灯である。
【００３５】
図３は、本発明の実施の形態に係るファクシミリ装置１の特徴的な機能の構成を示すブロック図である。つまり、図２に示されるハードウェア構成によって発揮されるファクシミリ装置１の機能のうち、本発明に関わる機能を示すブロック図である。
【００３６】
このファクシミリ装置１は、機能的には、第１制御部３００、第２制御部３１０、第１電源生成部３２０、第２電源生成部３３０、切替部３４０、蓄電部３７０、第１構成要素４００および第２構成要素４１０を備える。
【００３７】
第１制御部３００は、図２におけるメインＣＰＵ１２０、ＲＯＭ２０、ＲＡＭ３０等によって実現される処理部である。
【００３８】
第２制御部３１０は、図２におけるサブＣＰＵ１３０、ＲＯＭ２０、ＲＡＭ３０等によって実現される処理部である。
【００３９】
第１電源生成部３２０は、商用交流電源を直流電源に変換し、第１制御部３００に直流電源を供給する。
【００４０】
第２電源生成部３３０は、商用交流電源を直流電源に変換し、第２制御部３１０に直流電源を供給する。
【００４１】
切替部３４０は、第１接点部３５０、第２接点部３６０を備える。
【００４２】
第１接点部３５０は、第１電源生成部３２０および第２電源生成部３３０に商用交流電源を供給または遮断するために、接続および切断の一方から他方へ切り替える。
【００４３】
第２接点部３６０は、第１接点部３５０の接続状態に連動して、接続および切断の一方から他方へ切り替える。
【００４４】
蓄電部３７０は、第１接点部３５０と、第１制御部３００および第２制御部３１０との間に接続されている。この蓄電部３７０は、電力を蓄積する機能を有しており、第１電源生成部３２０および第２電源生成部３３０に供給される商用交流電源を安定化させるために設けられている。
【００４５】
さらに、第２制御部３１０は、検出部３８０、停止部３９０を備える。
【００４６】
検出部３８０は、第２接点部３６０の接続状態を検出する。これにより、検出部３８０は、第１制御部３００および第２制御部３１０への電力の供給が遮断されているかどうかを検出することができる。
【００４７】
停止部３９０は、検出部３８０が、第１制御部３００および第２制御部３１０への電力の供給が遮断されていることを検出した場合には、第２構成要素４１０に対する制御を停止する。
【００４８】
第１構成要素４００は、第１制御部３００が行う制御対象である。例えば、第１構成要素４００には、ディスプレイ７０、スキャナ８０、プリンタ９０等がある。
【００４９】
第２構成要素４１０は、第２制御部３１０が行う、第１構成要素４００よりも消費電力が小さい制御対象である。
【００５０】
発光部４２０は、第２構成要素４１０に含まれており、ＬＥＤ１８０によって動作モードが省電力モードであることを示す。
【００５１】
次に、以上のように構成された本実施の形態に係るファクシミリ装置１の特徴的な各種の構成例について説明する。
【００５２】
（構成例１）
図４は、本発明の実施の形態に係るファクシミリ装置の特徴的な各種の構成例１を示す図である。
【００５３】
ファクシミリ装置１には、ＡＣプラグ１４０を通じて商用交流電源が供給される。
【００５４】
第１接点部３５０としての第１スイッチ２２０が切断されていない場合、蓄電部３７０としてのキャパシタ１５０に電力が供給され、キャパシタ１５０に電力が蓄えられる。本実施の形態において、ファクシミリ装置１は、省電力モードとして、第１電源生成部３２０としてのメインコンバータ１６０は停止させている。したがって、第１制御部３００としてのメインＣＰＵ１２０には電力は供給されず、メインＣＰＵ１２０は、第１構成要素４００としてのディスプレイ７０、スキャナ８０、プリンタ９０等に対する制御を行わない。第２電源生成部３３０としてのサブコンバータ１７０は、商用交流電源を直流電源に変換し、第２制御部３１０としてのサブＣＰＵ１３０に直流電源を供給する。また、サブＣＰＵ１３０は、第２構成要素４１０の発光部４２０としてのＬＥＤ１８０が点灯するように制御を行う。
【００５５】
上記の状態で、第１スイッチ２２０が切断された場合、ＡＣプラグ１４０からの電力の供給は遮断されるが、キャパシタ１５０に蓄えられた電力が、サブコンバータ１７０を介してサブＣＰＵ１３０に供給される。したがって、サブＣＰＵ１３０は、第１スイッチ２２０が切断されていることを検出することができないので、しばらくの間、ＬＥＤ１８０が点灯したままの状態となる。
【００５６】
図４において、第１スイッチ２２０が切断されていることを検出するために、第２接点部３６０としての第２スイッチ２３０が設けられている。第２スイッチ２３０は、第１スイッチ２２０の接続状態と連動している。つまり、第１スイッチ２２０が切断されている場合、例えば、第２スイッチ２３０は切断されるように第２接点部３６０は構成されている。なお、第１スイッチ２２０と第２スイッチ２３０との連動の仕方は、第１スイッチ２２０が切断されたときに、第２スイッチ２３０は接続されるように第２接点部３６０が構成されていてもよい。
【００５７】
図４において、検出部３８０として、初期化させるための信号を受け付けるためのリセット端子２００が設けられている。リセット端子２００は、論理反転回路１９０を介して第２スイッチ２３０に接続されている。論理反転回路１９０は、電池またはサブコンバータ１７０からの電力によって作動している。リセット端子２００は、初期化させるための信号を受け付けることにより、サブＣＰＵ１３０は、第１スイッチ２２０が切断されていることを検出することができる。停止部３９０は、リセット端子２００が初期化させるための信号を受け付けた場合、速やかにＬＥＤ１８０を能動的に消灯させる。
【００５８】
なお、上述したように、本実施の形態のファクシミリ装置１は、省電力モードと非省電力モードとに切り替え可能に構成されている。省電力モードでは、第１電源生成部３２０としてのメインコンバータ１６０は駆動停止状態に保持され、第２電源生成部３３０としてのサブコンバータ１７０は駆動状態に保持される。このため、省電力モードでは、キャパシタ１５０に蓄えられたエネルギー（電荷）に対する電気的負荷が比較的小さい。この省電力モード時に、第１スイッチ２２０が切断された際には、キャパシタ１５０に蓄えられた電力は、サブコンバータ１７０を介してサブＣＰＵ１３０に供給される。サブＣＰＵ１３０は、キャパシタ１５０に蓄積された電力がサブＣＰＵ１３０へ供給されることによって、第２構成要素４１０（ＬＥＤ１８０）に対する制御を行う。キャパシタ１５０に蓄えられたエネルギー（電荷）に対する電気的負荷は比較的小さいため、キャパシタ１５０に蓄えられたエネルギー（電荷）を消費（放電）するためには、比較的長い時間が必要となる。その結果、第１スイッチ２２０が切断されてからＬＥＤ１８０が消灯されるまで比較的長い時間を要する。
【００５９】
また、非省電力モードでは、第１電源生成部３２０としてのメインコンバータ１６０および第２電源生成部３３０としてのサブコンバータ１７０はともに駆動状態に保持される。このため、非省電力モードでは、キャパシタ１５０に蓄えられたエネルギー（電荷）に対する電気的負荷が比較的大きい。この非省電力モード時に、第１スイッチ２２０が切断された際には、キャパシタ１５０に蓄えられた電力は、メインコンバータ１６０を介してメインＣＰＵ１２０に供給されるとともに、サブコンバータ１７０を介してサブＣＰＵ１３０に供給される。メインＣＰＵ１２０は、キャパシタ１５０に蓄積された電力がメインＣＰＵ１２０へ供給されることによって、第１構成要素４００（プリンタ９０等）に対する制御を行う。サブＣＰＵ１３０は、キャパシタ１５０に蓄積された電力がサブＣＰＵ１３０へ供給されることによって、第２構成要素４１０に対する制御を行う。キャパシタ１５０に蓄えられたエネルギー（電荷）に対する電気的負荷は比較的大きいため、キャパシタ１５０に蓄えられたエネルギー（電荷）は、比較的短い時間で消費（放電）される。その結果、第１スイッチ２２０が切断されてから比較的短い時間でＬＥＤ１８０が消灯される。
【００６０】
なお、本実施の形態では、第１電源生成部３２０としてのメインコンバータ１６０は停止させているが、ファクシミリ装置１は、省電力モードとして、メインＣＰＵ１２０への電力供給を少ない状態にしてもよい。この場合、第１電源生成部３２０としてのメインコンバータ１６０は、商用交流電源を直流電源に変換し、第１制御部３００としてのメインＣＰＵ１２０に直流電源を供給する。そして、メインＣＰＵ１２０は、第１構成要素４００としてのディスプレイ７０、スキャナ８０、プリンタ９０等に対する制御を行う。この状態で第１スイッチ２２０が切断された場合、キャパシタ１５０に蓄えられた電力が、メインＣＰＵ１２０およびサブＣＰＵ１３０を介して、第１構成要素４００および第２構成要素４１０中の発光部４２０に供給されることになるので、発光部４２０としてのＬＥＤ１８０が点灯し続ける時間が短縮される。
【００６１】
（構成例２）
図５は、本発明の実施の形態に係るファクシミリ装置の特徴的な各種の構成例２を示す図である。
【００６２】
構成例１（図４）と異なる点は、検出部３８０として、外部機器（図示せず）との間におけるデータの入力又は出力に用いられる汎用インターフェース２１０が設けられている点である。ここで、外部機器は、ファクシミリ装置１の外部に接続される各種の電子機器をいう。汎用インターフェース２１０は、第２スイッチ２３０に接続されている。汎用インターフェース２１０が入力データを判定するための信号を受け付けることにより、サブＣＰＵ１３０は、第１スイッチ２２０が切断されていることを検出することができる。したがって、停止部３９０は、汎用インターフェース２１０が入力データを判定するための信号を受け付けた場合、速やかにＬＥＤ１８０を能動的に消灯させる。
【００６３】
（構成例３）
図６は、本発明の実施の形態に係るファクシミリ装置の特徴的な各種の構成例３を示す図である。
【００６４】
構成例１（図４）と異なる点は、キャパシタ１５０とサブＣＰＵ１３０との間に第３スイッチ２４０（本発明の第３接点部に相当する）が設けられている点である。第３スイッチ２４０は、第２スイッチ２３０に接続されている。第１スイッチ２２０が切断された場合、第２スイッチ２３０からの検出信号を第３スイッチ２４０は検出することにより、第３スイッチ２４０は切断される。第３スイッチ２４０が切断されることにより、キャパシタ１５０からサブコンバータ１７０を介したサブＣＰＵ１３０への電力の供給が遮断されるので、サブＣＰＵ１３０は、ＬＥＤ１８０を受動的に消灯させる。
【００６５】
なお、構成例３の構成に代えて、キャパシタ１５０とサブコンバータ１７０との間に第３接点部としての第３スイッチ２４０を設けることも可能である。このような構成であっても、上述と同様の効果が達成される。
【００６６】
（構成例４）
図７は、本発明の実施の形態に係るファクシミリ装置の特徴的な各種の構成例４を示す図である。
【００６７】
構成例１（図４）と異なる点は、サブＣＰＵ１３０は、第２スイッチ２３０を介してサブコンバータ１７０に接続されている点である。構成例４では、第１スイッチ２２０が切断された場合、第２スイッチ２３０も連動して切断されることにより、キャパシタ１５０からサブコンバータ１７０を介したサブＣＰＵ１３０への電力の供給が遮断されるので、サブＣＰＵ１３０は、ＬＥＤ１８０を受動的に消灯させる。
【００６８】
以上のように、本発明の実施の形態に係る情報処理装置によれば、（１）切替部３４０に、第１接点部３５０の接続状態に連動して接続および切断の一方から他方へ切り替える第２接点部３６０を設け、（２）第２接点部３６０の接続状態が、第１接点部３５０が切断されていることを示す場合、第２制御部３１０は、第２構成要素４１０に対する制御を停止する、つまり、第２制御部３１０は、第２構成要素４１０に対する制御を能動的に停止する、または、第２制御部３１０への電力が遮断されることによって、第２制御部３１０は、第２構成要素４１０に対する制御を受動的に停止することにより、構成要素に対する主要な電力の供給が遮断された場合に、適切な動作を行う情報処理装置を提供することができる。
【００６９】
以上、本発明の実施の形態に係る情報処理装置について説明したが、本発明は、この実施の形態に限定されるものではない。
【００７０】
例えば、上記実施の形態は、情報処理装置がファクシミリ装置であるとして説明したが、例えば、情報処理装置が、省電力モードに切替が可能であるテレビ、プロジェクタ、オーディオ機器等の各種ＡＶ機器であってもよい。
【００７１】
また、本実施の形態の構成例１（図４）および構成例２（図５）において、停止部３９０は、第１スイッチ２２０（第１接点部３５０）が切断されたと検出部３８０が検出した場合に、メインＣＰＵ１２０（第１制御部３００）と接続された端子を初期化してもよい。つまり、第２構成要素４１０がメインＣＰＵ１２０と接続された端子であってもよい。これにより、例えば、メインＣＰＵ１２０がファクシミリ装置１のデータを所定の記憶装置に退避することができる。
【００７２】
また、図４〜図７において、第１スイッチ２２０（第１接点部３５０）の接点の数は２接点としているが、接点の数は１接点としてもよい。
【００７３】
また、構成要素間の接続関係は、本発明を具体的に説明するために例示するものであり、本発明の機能を実現する接続関係はこれに限定されない。
【００７４】
また、図３における機能ブロックの種類および数等は一例であり、複数の機能ブロックを一つの機能ブロックとして実現してもよい。また、一つの機能ブロックを複数に分割してもよく、ある機能ブロックの一部の機能を他の機能ブロックに移してもよい。また、類似する機能を有する複数の機能ブロックの機能を上記情報処理装置が並列または時分割に処理してもよい。
【００７５】
また、上記情報処理装置の構成は、本発明を具体的に説明するために例示するためのものであり、本発明に係る情報処理装置は、上記構成の全てを必ずしも備える必要はない。言い換えると、本発明に係る情報処理装置は、本発明の効果を実現できる最小限の構成のみを備えればよい。
【００７６】
さらに、本発明の主旨を逸脱しない限り、本実施の形態に対して当業者が思いつく範囲内の変更を施した各種変形例も本発明に含まれる。
【産業上の利用可能性】
【００７７】
本発明は、構成要素に対する主要な電力の供給が遮断された場合、適切な動作を行う情報処理装置を提供することができる。
【符号の説明】
【００７８】
１  ファクシミリ装置
２  相手先ファクシミリ装置
３  ＰＳＴＮ
１０  ＣＰＵ
２０  ＲＯＭ
３０  ＲＡＭ
４０  モデム
５０  ＮＣＵ
６０  操作パネル
７０  ディスプレイ
８０  スキャナ
９０  プリンタ
１００  ＬＡＮＩ／Ｆ
１１０  制御プログラム
１２０  メインＣＰＵ
１３０  サブＣＰＵ
１４０  ＡＣプラグ
１５０  キャパシタ
１６０  メインコンバータ
１７０  サブコンバータ
１８０  ＬＥＤ
１９０  論理反転回路
２００  リセット端子
２１０  汎用インターフェース
２２０  第１スイッチ
２３０  第２スイッチ
２４０  第３スイッチ
３００  第１制御部
３１０  第２制御部
３２０  第１電源生成部
３３０  第２電源生成部
３４０  切替部
３５０  第１接点部
３６０  第２接点部
３７０  蓄電部
３８０  検出部
３９０  停止部
４００  第１構成要素
４１０  第２構成要素
４２０  発光部
【図１】
2013080352.tif 000003
【図２】
2013080352.tif 000004
【図３】
2013080352.tif 000005
【図４】
2013080352.tif 000006
【図５】
2013080352.tif 000007
【図６】
2013080352.tif 000008
【図７】
2013080352.tif 000009